Podtech/llm-jp-corpus-v4-ja_patent huggingface dataset:
(57)【要約】【課題】タオル、フキン、手ぬぐい、ハンカチなどの片面又は両面に切り込みを入れ、片方の端を切り込みに通して、使う事を特徴とした水滴吸収具を提供する。【解決手段】  矩形、正方形、三角形、台形、その他の形の布地の片方、又は両方に切り込みを設け、片方の端を反対側の切り込みに通す事を特徴とする、ずれたり落ちたりしないタオル状水滴吸収具。【選択図】図２
2010240352.tif 000002
【特許請求の範囲】
【請求項１】
矩形、正方形、三角形、台形、その他の形の布地の片方、又は両方に切り込みを設け、片方の端を反対側の切り込みに通す事を特徴とする、ずれたり落ちたりしないタオル状水滴吸収具。
【発明の詳細な説明】
【技術分野】
【０００１】  本発明は、布地に切り込みを入れた、水滴吸収具に関するものである。
【背景技術】
【０００２】  従来、切り込みを入れたバスタオルがあった。（特許文献１参照）。
【特許文献１】実用新案２００５−２１１７号公報
【発明の開示】
【発明が解決しようとする課題】
【０００３】  そのために、次のような問題点があった。
（イ）タオルの片側に２箇所の切り込みがあるが、赤子の手を入れるための物なので水滴吸収具としては、不向きである。
【課題を解決するための手段】
【０００４】  矩形、正方形、三角形、台形、その他の形の布地の片方、又は両方に切り込みを設け、片方の端を反対側の切り込みに通す事を特徴とする、ずれたり落ちたりしないタオル状水滴吸収具に関するものである。
【発明の効果】
【０００５】  切り込みに片側の布地を通して締め付けることにより、タオル掛けや取っ手からずり落ちずに、固定することができる。
小さな布や長さが短い布でも落ちないで固定できるので、タオルの形状を子供の気を引くように工夫すれば、タオルにぶら下がるような幼少時からでも安全に手を拭く習慣が身につく。
また、タオルをピンチやクリップなどで、とめる事なく固定できるので、子供がピンチやクリップを誤って口に入れたり、挟んだりする事故から防ぐ事ができる。
【発明を実施するための最良の形態】
【０００６】  以下、本発明の実施の形態について説明する。
（イ）矩形、正方形、三角形、台形、その他の形の布地の本体（１）の片面又は両面に切り込み（２）を設ける。
本発明は以上のような構成で、これを使用するときは、タオル掛けや取っ手（４）に二つ折りにして掛け、一方の端を切り込み線の穴（２）に通してひっぱって絞るようにする。
本発明には、動物やフルーツ、キャラクター、その他の形のぬいぐるみ（３）を設ける事もできる。シンクの扉の取っ手（４）に取り付けた場合は、ぬいぐるみ（３）が、ちょうど子供の目線にあるため、子供に喜ばれ楽しみながら手を拭く習慣が身につきやすくなる。
【図面の簡単な説明】
【０００７】
【図１】本発明の平面図
【図２】本発明に象頭部を設けた平面図
【図３】本発明に象頭部を設け、切り込み口より端を引き出した状態図
【図４】本発明をシンクの取っ手に取り付けた使用状態図
【符号の説明】
【０００８】１  タオル本体
２  タオルを通す切込み線
３  象頭部のぬいぐるみ
４  シンク扉の取っ手
【図１】
2010240352.tif 000003
【図２】
2010240352.tif 000004
【図３】
2010240352.tif 000005
【図４】
2010240352.tif 000006
【手続補正書】
【提出日】平成21年5月27日(2009.5.27)
【手続補正１】
【補正対象書類名】特許請求の範囲
【補正対象項目名】請求項１
【補正方法】変更
【補正の内容】
【請求項１】
矩形、正方形、三角形、台形、その他の形の布地の片端、中ほど又は両端に切り込みを設け、片方の端を反対側の切り込みに通す事を特徴とする、ずれたり落ちたりしないタオル状水滴吸収具。
(57)【要約】【課題】屋外にスリッパを長い事、置いていた場合、雨や風の影響でスリッパの中が濡れたり汚れたりすることがあり、履き心地が悪いことがあった、本発明は雨や埃が入らない屋外用スリッパを提供する。【解決手段】スリッパ本体、左右の中心部分に丸い穴を設け、半円形の平たいプラスチック板をその左右の穴に渡して可動できるようにビスで留めて、スリッパ本体と半円形のプラスチック板に防水布を被せて設け、半円形のプラスチック板の真中部分に、つま先で開閉できる四角の平たい板を設けたことを特徴とする屋外用スリッパ。【選択図】図１
2010240354.tif 000002
【特許請求の範囲】
【請求項１】
従来のスリッパ本体、左右の中心部分に丸い穴を設け、半円形の平たいプラスチック板をその左右の穴に渡して可動できるようにビスで留めて、スリッパ本体と半円形のプラスチック板に防水布を被せて設け、半円形のプラスチック板の真中部分に、つま先で開閉できる四角の平な板を設けたことを特徴とする屋外用スリッパ。
【発明の詳細な説明】
【技術分野】
【０００１】  本発明は、雨や埃がスリッパの中に入らないように工夫した屋外用スリッパに関するものである。
【背景技術】
【０００２】  従来、スリッパはある。
【発明の概要】
【発明が解決しようとする課題】
【０００３】  従来のスリッパでは、屋外に置いてある場合。雨が降ったり、風の吹くときは、スリッパの中が濡れたり、汚れたりします。本発明は、以上の問題点を解決するためになされたものである。
【課題を解決するための手段】
【０００４】  スリッパの左右の中心部分に半円形のプラスチック板が容易に可動ができる丸い穴を設け、その丸い穴に半円形のプラスチック板が自由に可動できるようにビスで留める。スリッパ本体から半円形のプラスチック板に防水布を被せて接着する。半円形のプラスチック板の真中に、四角の平たい開閉用の板を取り付ける。
以上を特徴とする屋外用スリッパである。
【発明の効果】
【０００５】  従来のスリッパを長い事、屋外に置いた場合、雨や風の影響で中が濡れたり、埃が付着したりしました。それらの事が解決します。
【図面の簡単な説明】
【０００６】
【図１】本発明の閉じた状態のスリッパの斜視図。
【図２】本発明の開いた状態のスリッパの斜視図。
【発明を実施するための形態】
【０００７】  以下、発明の実施の形態について説明する。
（イ）スリッパ本体（５）の左右の中心部分に丸い穴（２）をあける。
（ロ）その左右の中心部分の丸い穴（２）に半円形の平たいプラスチック板（３）を自由に可動できるようにビスで留める。
（ハ）スリッパ本体（５）から半円形のプラスチック板（３）に防水布（１）をかぶせて、接着する。
（ニ）半円形のプラスチック板（３）の真中部分に平たい開閉用板（４）をつける。
本発明は以上のような構造である。
本発明を使用するときは、スリッパ本体（５）と半円形のプラスチック板（３）に被せる防水布が雨や埃がスリッパの中に入らないようにした構造で、半円形のプラスチック板（３）の真中部分に取り付けた、開閉用板（４）を手を使わずに、つま先でひっかけて、半円形のプラスチック板に被せた防水布の部分を開閉できる屋外用スリッパである。
【符号の説明】
【０００８】    １  防水布
２  本体中心部の穴
３  プラスチック板
４  開閉用板
５  スリッパ本体
【図１】
2010240354.tif 000003
【図２】
2010240354.tif 000004
(57)【要約】【課題】玄関などで履物が乱雑に脱ぎ置かれることがある、履物を立ったまま整頓できる、また靴が、履きにくいときに靴べら付、履物用整頓棒を提供する。【解決手段】二段式の調整付にぎり棒に穴を設け、靴べらと、履物に差込む二股の履物用整頓つめが一対になった部品にも穴を設け、その二組の穴に、緩めて調整、絞めて固定する、蝶ねじを差込、垂直や直角にする事で靴べらや履物用整頓つめに用途を替えれるのを特徴とする靴べら付、履物用整頓棒。【選択図】図１
2010240355.tif 000002
【特許請求の範囲】
【請求項１】
二段式の調整付にぎり棒に穴を設け、靴べらと、履物に差込む二股の履物整頓つめが一対になった部品にも穴を設け、、その二組の穴に、緩めて調整、絞めて固定する、蝶ねじを差込み、垂直や直角に調整する事で靴べらや履物用整頓つめに用途を替えれるのを特徴とする靴べら付き、履物用整頓棒。
【発明の詳細な説明】
【技術分野】
【０００１】  本発明は、靴が乱雑に置かれているとき整頓用の、靴べら付き、履物用整頓棒に関するものである。
【背景技術】
【０００２】  従来から、靴が玄関に乱雑に置かれている場合があります。
【発明の概要】
【発明が解決しようとする課題】
【０００３】  玄関などに乱雑に置かれている、履物は半腰で整頓したり、雨降りのときの濡れた履物は手で触りたくないものです。
本発明は、以上の問題点を解決するためになされたものである。
【課題を解決するための手段】
【０００４】二段式調整付き棒を設け、靴べらと履物用整頓つめを一対にした部品を設け、靴べらと履物用整頓つめが一対になった中心に垂直や直角にできるように穴をあける。その穴に二段式調整棒を取り付ける蝶ねじを設ける。
以上を特徴とする靴べら付き、履物用整頓棒。
【発明の効果】
【０００５】本発明によれば、履物が乱雑に置かれている場合、立ったまの姿勢で、手で履物に触れないで履物用整頓つめを履物に差し込んで持ち運び整頓できます。
本発明は、靴べらとしても使えます。
【図面の簡単な説明】
【０００６】
【図１】本発明の靴べらの側面図。
【図２】本発明の履物用整頓つめの側面図。
【図３】本発明の本体の断面図
【発明を実施するための形態】
【０００７】  以下、本発明の実施の形態を説明する。
（イ）円柱のにぎり棒（１）に二段式調整用のつまみ（２）を設ける。
（ロ）履物に差し込む、二股の履物用整頓つめ（３）と、靴べら（４）が一対の部品を設ける。
（ハ）二股の履物用整頓つめ（３）と靴べら（４）が一対になった中心に垂直や直角にできるように穴を設ける。
（ニ）その穴に二段式調整棒（１）（２）を取り付ける、緩めて調整、絞めて固定できる蝶ねじ（５）を設ける。
本発明は以上のような構造である。
本発明を使用するときは、にぎり棒（１）に付いている二段式調整用のつまみ（２）で高さを調整して、履物の整頓用として使うときは、蝶ねじ（５）をゆるめて、履物用整頓つめ（３）と靴べら（４）の一対になった部分を，二段式調整棒（１）（２）と直角になるようにして、蝶ねじ（５）を絞めて固定して、履物の中に、二股の履物用整頓つめ（３）を片方ずつ差しこんで一足分を、持ち上げて整頓して外します。
靴べらは、蝶ねじ（５）をゆるめて、二段式調整棒（１）（２）と、二股の履物用整頓つめ（３）と靴べら（４）が一対になった部分を、靴べら（４）が下にくるように、直角にして、蝶ねじ（５）で固定して使用します。
【符号の説明】
【０００８】１  にぎり棒
２  二段式調整用のつまみ
３  履物用整頓つめ
４  靴べら
５  蝶ねじ
【図１】
2010240355.tif 000003
【図２】
2010240355.tif 000004
【図３】
2010240355.tif 000005
(57)【要約】【課題】自動開式洋傘で荷物を手に、傘を閉じる際、荷物を下ろすか、もち手を替えてロクロに手を伸ばして閉じたりしなくても、手元で閉じる、自動開式洋傘の補助具を提供する。【解決手段】自動開式洋傘のロクロ部分に、蝶ねじでロクロにあわせた丸い金具を留めて設け、その金具を留めた蝶ねじに紐を結んで、ビニール粘着テープで傘のもち手部分に、もち手と同じ長さの円柱のパイプを設け、金具を留めた蝶ねじに付けた紐をそのパイプに通しその紐の先端に、指通し用の輪を結んで設けたことを特徴とする自動開式洋傘の補助具。【選択図】図１
2010240353.tif 000002
【特許請求の範囲】
【請求項１】
自動開式洋傘のロクロ部分に、蝶ねじでロクロにあわせた丸い金具を留めて設け、その金具を留めた蝶ねじに紐を結んで、ビニール粘着テープで傘のもち手部分に、もち手と同じ長さの円柱のパイプを設け、金具を留めた蝶ねじに付けた紐をそのパイプに通しその紐の先端に、指通し用の輪を結んで設けたことを特徴とする自動開式洋傘の補助具。
【発明の詳細な説明】
【技術分野】
【０００１】本発明は、開いた傘を閉じる時の自動開式洋傘の補助具に関するものである。
【背景技術】
【０００２】従来、自動開式洋傘がある。
【発明の概要】
【発明が解決しょうとする課題】
【０００３】次のような問題点があった。
自動開式洋傘は、荷物を手に持ってる場合、荷物を下ろすか傘を持ち替えてロクロ部分に手を伸ばして閉じる動作をしていた。
本発明は、以上の問題点を解決するためになされたものである。
【課題を解決するための手段】
【０００４】自動開式洋傘のロクロに蝶ねじでロクロの丸みにあわせた金具を留めて設け、その金具を留めた蝶ねじに紐を結んで設け、傘のもち手にビニール粘着テープで円柱のパイプを固定し、そのパイプの中を、蝶ねじに結んだ紐を通し、先端に、指通し用の輪を結ぶ。
以上を特徴とする自動開式洋傘の補助具。
【発明の効果】
【０００５】従来の自動式洋傘に本発明を補助具として、取り付ける事により、ロクロ部分にまで手を伸ばすことなく、手もとで傘を閉じる事ができる。
本発明は、荷物を持っていても容易に傘が閉じる。
【図面の簡単な説明】
【０００６】
【図１】本発明の側面図
【図２】本発明の使用状態を示す要部拡大図。
【発明を実施するための形態】
【０００７】  以下、本発明の実施の形態を説明する、
（イ）傘のロクロ（１０）にロクロの丸みにあわせた金具（５）を蝶ねじ（４）で固定する。
（イ）傘のもち手（２０）にもち手と同じ長さの円柱のパイプ（１）をビニール粘着テープ（２）で固定する。
（ロ）ロクロの丸みにあわせた金具（５）を留めた蝶ねじ（４）に紐（６）を結ぶ。
（ニ）蝶ねじ（４）に結んだ紐（６）を円柱のパイプ（１）に通す。
（ホ）円柱のパイプ（１）に通した紐（６）の先端に指通し用の輪（３）を設ける。
本発明は以上のような構造である。
本発明を使用するとき自動開式洋傘の、ロクロ部分（１０）にロクロの丸みにあわせた金具（５）を蝶ねじ（４）で取り付け、その蝶ねじに紐（６）を結んで、傘のもち手（２０）に、ビニール粘着テープ（２）で固定した円柱のパイプ（１）の中を通して、指通し用の輪（３）と結ぶ。開いた傘を閉じるとき、その指通し用の輪（３）に指を通して引っ張ることにより、ロクロの部分まで手を伸ばさなくても手元で傘が容易に閉じる。
【符号の説明】
【０００８】    １  パイプ
２  ビニール粘着テープ
３  指通し用の輪
４  蝶ねじ
５  金具
６  紐
１０  ロクロ
２０  傘のもち手
【図１】
2010240353.tif 000003
【図２】
2010240353.tif 000004
(57)【要約】【課題】市場には、多くのパット練習器具が公開されているが、本発明は、パットの基本である平坦で真っ直ぐのラインを確実にパットが出来る形を体に覚え込ませる事にある。幅の広いライン４から幅の狭いライン６まで段階的に使い分けながら練習を繰り返す事が出来る。又、ラインの長さをレベルに応じて決める事が出来る構造にしている。【解決手段】本発明には、平坦で真っ直ぐのラインしか設けていないためラインから外さない事のみに神経を集中して練習する事が出来る。又、カップに吸い込まれたゴルフボ−ル１０も途中でラインから外れたゴルフボ−ル１０も落下防止３と、本体２に勾配を設けているため、必ず足元まで回収出来る事でパットの練習に専念出来る。【選択図】図１
2010240356.tif 000002
【特許請求の範囲】
【請求項１】
平坦で真っ直ぐのラインだけを練習する事を特徴とするパット練習器具。
【請求項２】
平坦で真っ直ぐのラインだけを設けた事を特徴とするパット練習器具。
【請求項３】
好みに合わせてラインの幅と長さを選べる事を特徴とするパット練習器具。
【請求項４】
打球は、全て足元まで返球される仕組みになっている事を特徴とするパット練習器具。
【発明の詳細な説明】
【発明の詳細な説明】
【技術分野】
【０００１】  本発明は、スポ−ツ分野に部類し、その中のゴルフのパットの技術向上を目出すための練習器具に関するものである。
【背景技術】
【０００２】  公開されている練習器具には、一般的なものとして、特開平１０−２７１８６や、ラインを自在に変化させる事が可能な特開平１０−２７１８６等がある。
【発明が解決しようとする課題】
【０００３】  パットの基本は、平坦で真っ直ぐのラインを確実にこなせる形を体に覚えさせる事が大事である。上り、下り、フック、スライス等のラインへの対処は、この基本動作をこなせる事が出来て初めて成せる業である。本発明は、あらゆるスポ−ツでよく言われる事であるが、「脇を固める」と言う基本を習得する事を課題とする。
【課題を解決するための手段】
【０００４】  どの様なスポ−ツでも上達の基本は、形が出来上がるまで同じ動作を何回も繰り返す事である。本発明は、従来の発明に見られなかった、打ったボ−ルが全て足元まで返って来るため、ボ−ルを回収する手間が省け連続して練習が出来る。
【作用】
【０００５】  本発明は、課題を達成するために、平坦で真っ直ぐのラインしか設けていないために繰り返し、繰り返し、平坦で真っ直ぐのラインだけを練習せざるを得ない様にした。
【実施例】
【０００６】  以下、本発明を図面に基づいて具体的に説明する。図１は、本発明を全体的に見た平面図である。図２は、正面図である。【０００７】  本体１と本体２は、コンパクトにする目的と、ライン４〜６の何れかを取り付けた時、合わせ目がわからぬ様に締め代を設けて固定する目的でＡ−Ｂの位置で分割し、ボルトで固定する。又、本体２には、カップに入らなかったゴルフボ−ル１０が外にこぼれない様に落下防止３をボルトで取り付ける。【０００８】  本体１、落下防止３、ライン４〜６の上面には、本場のグリ−ンを模して緑色の絨毯７か又は、人工芝７を張り付ける。【０００９】  本体１、本体２は、脚８でレベルを調整し、床にしっかり設置する。【０００１０】  本体１に足パット９を理想の位置に置き、ゴルフボ−ル１０との三角形でパッティングのスタンスを自在に決める事が出来る。【０００１１】  パタ−１１で打ち放たれたゴルフボ−ル１０は、カップに入った時も、外れた時も、本体２と、落下防止３に設けている勾配によって足元に回収出来る。【０００１２】  ライン４で練習したい時は、ライン５とライン６は、本体２のライン置き場に収納出来る。
【発明の効果】
スポ−ツや、種々存在するゲ−ムに興味を持つ人達はなぜこれ等に没頭するのか、それは単に健康の為や、汗をかいた後の爽快感、又、ゲ−ムの面白さに嵌まり込むだけではなく、そこには一つの共通するもがあると考える。それは、人の脳からは、的を得た時に何とも表現しがたい達成感が発信されるのではないかと思う。球技で代表される野球、サッカ−、テニスに、弓矢、その他にゲ−ムではダ−ツ、ボウリング等、全てが的を得る事に通じる。身近な所にこの感覚を味わえる手段があれば人はこれを利用する。特にゴルフ愛好家にとっては手軽にパットの練習に没頭出来る。
【図面の簡単な説明】
【図１】  パット練習器具の全体の構成示す平面図である。
【図２】  パタ−との関係を示すパット練習器具の正面図である。
【図３】  パット練習器具の右側面図である。
【図４】  パット練習器具のＡ−Ｂ間の矢印側を見た断面図である。
【図５】  パット練習器具のＣ−Ｄ間の矢印側を見た断面図である。
【符号の説明】  １  本体
２  本体
３  落下防止
４  ライン
５  ライン
６  ライン
７  緑色絨毯又は、人工芝
８  脚
９  足パット
１０  ゴルフボ−ル
１１  パタ−
【図１】
2010240356.tif 000003
【図２】
2010240356.tif 000004
【図３】
2010240356.tif 000005
【図４】
2010240356.tif 000006
【図５】
2010240356.tif 000007
(57)【要約】【課題】  ゴルフティーは、ゴルフクラブで直接打ち込まれたりする事により破損するという課題がある。また、構造によって、ティーグランドでのインパクトにおいて、ゴルフボールを打った感触が硬く手に伝わるという違和感が残り、その違和感がゴルフボールの飛距離にも影響を与えているという課題もある。さらに最近これらの課題に対して改善されたゴルフティーも販売されているが、高価であるという課題もある。【解決手段】  軟質弾性部材からなるチューブによって、ボールを載せる部材、ティーグラウンドに差し込む部材を連結させる。ボール載せ部材、ティーグランドに差し込む部材は、圧力、衝撃が加われば、自在に可動するようになる。簡単な構造でありながら、この軟質弾性部材からなるチューブがゴルフクラブ、ゴルフボールから受ける運動エネルギーを分散させる事によって、課題の解決を計る。【選択図】図１
2010240351.tif 000002
【特許請求の範囲】
【請求項１】
ボール載せ部とティーグランド差込部と軟質弾性部材からなるジョイントチューブのそれぞれ分離した部材から構成されており、ボール載せ部とティーグランド差込部のそれぞれ円柱状の外壁面を円筒状のジョイントチューブの内壁面に挿入し、ジョイントチューブの内において、屈曲可能な程度の空間を有したゴルフティーである。
【請求項２】
ボール載せ部とティーグランド挿入部は中央部分が線状部によってつながった一体構造をしており、円筒状のジョイントチューブは、ゴルフティー本体の中央部分の線状部、ボール載せ部、ティーグランド挿入部の一部を内包した構造のゴルフティーであり、さらに屈曲可能な空間をジョイントチューブの内側に有している。
【発明の詳細な説明】
【技術分野】
【０００１】  ゴルフで使用されるティーに関する発明であり、ティーグランドにおいて、ゴルフボールを打ち込んだ際の衝撃でも破損しづらく、ゴルファーの手に伝わるインパクトの違和感を少なくし、飛距離がアップにつながるようにしたものである。
【背景技術】
【０００２】  従来から、ゴルフティーとして、破損、ショット時の違和感の減少などの目的として、特許文献１や、登録実用新案文献１に開示されたものがある。これらは、ゴルフティー本体の中央部を屈曲可能にする事により、ゴルフクラブ、ゴルフボールから伝わる衝撃を分散している。
【特許文献１】  特開  昭５７−１３６４６７
【登録実用新案文献１】
登録実用新案  第３０２８７０５号
【発明の開示】
【問題が解決しようとする課題】
【０００３】  ゴルフティーにおいては、載せたボールとともにゴルフクラブで打たれるため大きな衝撃が加えられている。さらに昨今では、クラブヘッドの体積が増しており、よりいっそう衝撃力が拡大している。そのため、ゴルフティーの破損、また、ゴルフボールと一緒に打撃されるインパクトでの手に伝わる違和感をなくすという課題、さらにティーショットでのゴルフボールの飛距離を伸ばすという課題がある。
【０００４】  その課題について改善を施したゴルフティーも販売されているが、実際に打撃する時に方向をチェックしなければ使えない物や、部品や加工工程数が多いために高価なものになってしまっているという課題がある。
【課題を解決するための手段】
【０００５】  この課題を解決するために図１のゴルフティーは、ボール載せ部１、ジョイントチューブ２、ティーグランド挿入部３の３ピース構造とし、ジョイントチューブによって、ボール載せ部とティーグランド挿入部は連結されている。ジョイントチューブの材質はゴムなどの軟質弾性部材であり、円筒の形状をしている。このジョイントチューブの特性により、ゴルフボール、ゴルフクラブから伝わる衝撃を受け、その衝撃を運動エネルギー方向に逃がす構造をしている。
【０００６】  また、構造上図２のように２ピース構造も可能であり、部品数、加工工程数も少ない。さらに本体中央の屈曲機能を果たす軟質弾性部材からなるジョイントチューブは、ティー本体の外周に配置する事によって加工作業性が改善されコストダウンにつながる。
【発明の効果】
【０００７】  図３のようにゴルフ場のティーグランドにゴルフボール６をティーアップしてドライバー７によって打撃した場合、ゴルフティーにはゴルフボール６の飛び出し方向へ運動エネルギーを受け、ジョイントチューブ２の部分から屈曲し、やがて元に戻る。このことから、ゴルフティーの抵抗が軽減される事により、クラブヘッドの運動エネルギーがゴルフボールに伝わり易くなるため、飛距離アップも期待できる。
【０００８】  また、軟質弾性部材からなるジョイントチューブ２の部分の衝撃による屈曲構造は、ゴルファーに安価に破損しづらく、打撃感触の良いゴルフティーを供給可能になる。
【発明を実施するための最良の形態】
【０００９】  図１の３ピースゴルフティーにおいて、ボール載せ部１、ティーグラウンド挿入部３は、成形可能な材質から作られるが、ボール載せ部１とティーグランド部２は、必ずしも同じ材質でなくても構わない。また、それぞれ色を変えてセットする事も可能である。【００１０】  ジョイントチューブ２は軟質弾性部材からなる円筒状のものであり、ボール載せ部１とティーグランド挿入部３とを繋ぎ止めるため、若干のテーパーを内側面、外側面に設ける。ジョイントチューブ２の材質は、すべり止め効果がある物が望ましい。また、ゴルフクラブで打撃されるという過酷な使われかたをするため、ボール載せ部１、ジョイントチューブ２、ティーグランド挿入部３のそれぞれの接触面には、リブとそれに対応するミゾ等を設けて、強固につながるように連結する。
【産業上の利用可能性】
【００１１】  本発明に係わるゴルフティーは、工業的に量産する事が可能であるため、産業上の利用可能性を有する。
【図面の簡単な説明】
【００１２】
【図１】３ピースからなるゴルフティーの全体図である。
【図２】ボール載せ部とティーグランド挿入部が一体化した２ピースからなるゴルフティーの全体図である。
【図３】ティーグランドにゴルフティーをさし、ゴルフボールをティーアップし、ドライバーショットした時の図である。
【符号の説明】
【００１３】１      ボール載せ部
２      ジョイントチューブ
３      ティーグランド挿入部
４      ３ピースゴルフティー本体
５      ボール載せ部、ティーグランド挿入部が一体化した２ピースゴルフティー本体
６      ゴルフボール
７      ゴルフクラブヘッド
８      ティーグランド（地面）
【図１】
2010240351.tif 000003
【図２】
2010240351.tif 000004
【図３】
2010240351.tif 000005
(57)【要約】      （修正有）【課題】マスクの部品構成を増やすことなく、マスク本体に入れた切れ目又は、穴を切り離すことで簡単に耳に掛けるひも状部分を長くすることのできるマスクを提供する。【解決手段】ひも１を取り付けてあるマスク本体２に切れ目又は穴３、４を設ける。ひもの長さを長くする場合は切れ目又は穴３、４を切り離すことでマスク本体の一部をひも状とし、耳に掛かるひも状部分を長くできることを特徴とする。【選択図】図１
2010240360.tif 000002
【特許請求の範囲】
【請求項１】
マスクの耳に掛ける部分を長くする為、マスク本体端に設けた切れ目又は穴を切り離しマスク本体の一部をひも状とすることで、耳に掛ける部分を長くすることのできるマスク。
【発明の詳細な説明】
【技術分野】
【０００１】この発明は、マスク本体に入れた切れ目又は穴を切り離すことで耳に掛けるひも状部分を長くすることのできるマスクに関するものである
【背景技術】
【０００２】従来、マスクのひもが耳に当たる違和感や痛みを和らげたくてもひもを長くできないものが多い。
また調節するには２本のひもを調整器具で固定したりなど、構造が複雑になり長さを調節するのがわずらわしくなることが問題であった。
【発明が解決しようとする課題】
【０００３】本発明の目的はマスクの部品構成を増やすことなく、簡単にマスクのひも状部分を長くしひもが耳に当たる違和感や痛みを和らげるマスクを提供することにある。
【課題を解決するための手段】
【０００４】ひも（１）を取り付けてあるマスク本体（２）に切れ目又は穴（３）（４）を設ける。
ひもの長さを長くする場合は切れ目又は穴（３）（４）を切り離すことでマスク本体の一部をひも状とし、耳に掛かるひも状部分を長くできるマスクである。
【発明の効果】
【０００５】  ひも状部分を長くするにはマスク本体の切れ目又は穴を切り離すだけなので、簡単な構造でひも状部を長くし耳に当たる違和感や痛みを和らげることができる。
部品構成が増えていないためコストをかけずマスクを製造することができる。
【発明を実施するための最良の形態】
【０００６】ひも（１）を取り付けてあるマスク本体（２）に切れ目又は穴（３）（４）を設ける。
ひも状部分を長くしたい場合は、切れ目又は穴を切り離して使用する。
【図面の簡単な説明】
【０００７】
【図１】本発明の斜視図である。
【図２】本発明を使用した斜視図である
【符号の説明】
【０００８】１  ひも
２  マスク本体
３  切れ目又は穴
４  切れ目又は穴
【図１】
2010240360.tif 000003
【図２】
2010240360.tif 000004
(57)【要約】【課題】歯磨きのとき、手を伝って腕に流れてくる液体を阻止し、手首のところで液体を落下させるゴムリングを提供する。【解決手段】ゴムリングを手首に装着して液体の垂れを阻止し、かつ液体がゴムリングを乗り越えてこないように外郭部に反りをもった鍔を付けることにより手首のところで液体を落下させるようにする。又、左右対称にすることにより、前後関係なく手首に装着できるようにしたものです。【選択図】図１
2010240367.tif 000002
【特許請求の範囲】
【請求項１】
手首に装着し、かつ密着するゴムリングで、リングの外郭部に反りのある鍔をもったもの。
【発明の詳細な説明】
【技術分野】
【０００１】本発明は、歯磨きのとき、手を伝って腕まで流れてくる液体を手首で阻止するためにゴムリングを装着し、手首のところで液体を落下させるものです。
【背景技術】
【０００２】従来は腕まくりをするか、タオルなどを腕に巻きつけて液体を染み込ませたり、拭き取るなどしています。
【発明の開示】
【発明が解決しようとする課題】
【０００３】歯磨きのとき、手を伝って腕に流れてくる液体で衣服を汚し不快な思いをしています。
本発明は、この課題を解消するためになされたものです。
【課題を解決するための手段】
【０００４】伸縮性が大きいゴムを使用して、リング状のものを手首に装着して、液体の垂れを阻止するようにした。
またリングには、反りのある鍔をつけて手首のところで液体が落下するようにした。
【発明の効果】
【０００５】本発明により、歯磨きのとき手を伝って腕まで流れる液体を手首で阻止し、着衣の多い時でも手首のところで液体を下に落とすことができ快適に歯磨きができます。
【図面の簡単な説明】
【０００６】
【図１】本発明の外観図である
【図２】本発明の正面図である
【図３】本発明の断面図である
【符号の説明】
【０００７】１  リング本体
２  鍔
３  貫通孔
【図１】
2010240367.tif 000003
【図２】
2010240367.tif 000004
【図３】
2010240367.tif 000005
(57)【要約】【課題】餃子の皮で具を包むときの水を塗る作業を効率よくできるように、取っ手が付いた円形の台にドーナツ型のスポンジを設けた道具を提供する。【解決手段】取っ手（１）が付いた円形の台（２）にドーナツ型のスポンジ（３）を設けた餃子の皮に効率よく水を塗ることができる道具を特徴とする。【選択図】図１
2010240362.tif 000002
【特許請求の範囲】
【請求項１】
（イ）円形の台（２）に取っ手（１）を設ける。
（ロ）円形の台（２）にスポンジ（３）を設ける。
以上の構成よりなる餃子の皮に効率よく水を塗ることができる道具。
【発明の詳細な説明】
【技術分野】
【０００１】  この発明は、取っ手が付いた円形の台にスポンジを設けた餃子の皮に効率よく水を塗る  ことができる道具に関するものである。
【背景技術】
【０００２】  従来、指に水を付けて餃子の皮に水を塗っていた。
【発明の開示】
【発明が解決しようとする課題】
【０００３】    これは、次のような欠点があった。
従来、指で餃子の皮に水を塗ると途中で水分の量が足らなくなり、何度も指に水を付    け足さなければならず、面倒で調理時間がかかり大変であった。
本発明は、以上のような欠点をなくすためになされたものである。
【課題を解決するための手段】
【０００４】  取っ手（１）が付いた円形の台（２）にドーナツ型のスポンジ（３）を設ける。
本発明は、以上の構成よりなる餃子の皮に効率よく水を塗ることができる道具である。
【発明の効果】
【０００５】  吸水したスポンジでスタンプを押すように水を餃子の皮に付けるため、何度も水を付け  足すという面倒な作業がなくなり、従来よりも調理時間が短縮できる。
【発明を実施するための最良の形態】
【０００６】  以下、本発明を実施するための最良の形態について説明する。
プラスチックなどの水を通さない素材の取っ手（１）が付いた円形の台（２）に餃子の皮の径の大きさに合わせたドーナツ型のスポンジ（３）を接着する。
本発明は、以上のような構造である。
これを使用するときは、ドーナツ型のスポンジ部分に吸水させておく。餃子の皮に水を  付けるときに取っ手を持ち、スタンプを押す要領で皮にスポンジを押し付ける。
【図面の簡単な説明】
【０００７】
【図１】本発明の斜視図である。
【図２】本発明の正面図である。
【図３】本発明の側面図である。
【図４】本発明の上面図である。
【符号の説明】
【０００８】１取っ手
２台
３スポンジ
【図１】
2010240362.tif 000003
【図２】
2010240362.tif 000004
【図３】
2010240362.tif 000005
【図４】
2010240362.tif 000006
(57)【要約】      （修正有）【課題】大皿や中皿で色々な食材を一緒に盛った時汁分が皿の底部に溜まり全体を汁っぽくし乾いた食材まで汁っぽくなって食感を悪くしていたそれを解決する。【解決手段】扇状で傾斜を付けその両側面を高くした傾斜皿受け器を、皿とテーブルの間の一箇所に置き皿を傾斜させる事により皿全体を傾かせ汁分を皿の底部の一部に集める事により汁物と乾いた食材とを一緒に盛っても、乾いた食材が汁っぽくならず食感を損ねる事無く食することが出来る。【選択図】図２
2010240368.tif 000002
【特許請求の範囲】
【請求項１】
お皿を任意の角度に傾斜させる為に、角度を付けた傾斜皿受け器。
【請求項２】
お皿を２点で受け止める為に、扇状に広げその両サイドを高くして角度を付けた傾斜皿受け器。
【発明の詳細な説明】
【技術分野】
【０００１】  本発明は皿受け器に関するものであり、お皿を傾斜させる事により汁分を皿の底部の一箇所に集める物である
【背景技術】
【０００２】  お皿そのものを手で傾けていた。
【発明の開示】
【発明の解決しようとする課題】
【０００３】  色々な食べ物を一つの皿に盛った時など煮物と乾いた物又、ドレッシング等を必要とする食べ物の場合、その汁分が一緒に盛った乾いた物にまで付き食感を損ねていた、その問題点を解決することである
【課題を解決するための手段】
【０００４】  この課題を解決する為の請求項１の発明はテーブルと皿との間に傾斜皿受け器を置くことにより皿が傾き汁分が底部の一部に集まり汁分が皿全体にまわらなくした事により一緒に盛った乾いた物に汁分が行きにくくなる。
【０００５】  又請求項２により皿の接地面がテーブルと一箇所、傾斜皿受け器の二箇所の計三箇所となりがたつきがなく安定感がある。
【０００６】  又傾斜皿受け器がテーパーになっている為わずかな皿の前後で皿の傾斜が高低し任意の傾斜に保たれ汁分の多少量に調整可能になった。
【発明の効果】
【０００７】  本発明により一つの皿に乾いた物と汁物と色々な食べ物を盛るとき汁分が乾いた物に付きにくくなり、汁分も一箇所に集まるため量も少なくてすみ、エコに役立ち、食感を崩さず美味しく頂ける様になる。
【実施例】
【０００８】  図１は扇状でテーパーになっていて両サイド４が高くなった傾斜皿受け器です【０００９】  図２の様に皿１を傾斜皿受け器図１に乗せる事により、皿１の汁分は皿１の低い所２に集まり皿１の高い所３には汁分は行かず、乾いた食材の食感を損なわず美味しく頂ける。【００１０】  図３は傾斜皿受け器図１の上に皿１を乗せた所を上から見た図です。【００１１】  皿１と傾斜皿受け器図１との接地面５と６の二箇所と皿１とテーブル７との接地面８との計三箇所で皿１を受ける為皿１の安定感が増しガタツキが少なくなった。【００１２】  又傾斜皿受け器図１の両サイド４がテーパーになっている為わずかな皿の前後の調整で皿の傾きが調整でき色々な角度で使用する事が出来る、図４は皿の傾きが小さい所、図５は皿の傾きが大きい所です。【００１３】  傾斜皿受け器図１が扇状になっている為傾きが大きくなれば皿との接地面５と６が図３の様に開いていき皿が安定する。
【利用可能性】
【００１４】  皿が傾いている為汁分が一箇所に集まり易く少しの汁の量ですみ、汁分を嫌う食物えの影響も少なく一緒に皿に盛っても美味しく頂ける。
【図面の簡単な説明】
【００１５】
【図１】  請求項１、請求項２の傾斜皿受け器
【図２】  傾斜皿受け器図１の上に皿１を乗せた側面図
【図３】  傾斜皿受け器図１の上に皿１を乗せた正面図
【図４】  傾斜皿受け器図１の傾斜の低い所９に皿１を置いた側面図
【図５】  傾斜皿受け器図１の傾斜の高い所１０に皿１を置いた側面図
【符号の説明】
【００１６】  １    皿
２    傾斜した皿の低い所
３    傾斜した皿の高い所
４    傾斜皿受け器図１の扇状に広がった両サイドの高いテーパー部。
５    傾斜皿受け器図１の扇状に広がった両サイドの高いテーパー部４が皿１の底面１１と接している一箇所目
６    傾斜皿受け器図１の扇状に広がった両サイドの高いテーパー部４が皿１の底面１１と接している二箇所目
７    テーブル
８    テーブル７と皿１との接地面
９    傾斜皿受け器図１の傾斜の低い所
１０    傾斜皿受け器図１の傾斜の高い所
１１    皿１の底面
【図１】
2010240368.tif 000003
【図２】
2010240368.tif 000004
【図３】
2010240368.tif 000005
【図４】
2010240368.tif 000006
【図５】
2010240368.tif 000007
(57)【要約】【課題】  従来より高さが自由に調節出来る枕が市販されているようですが、自分自身に適合した枕が見あたらない場合があります。そこで調節ハンドルを廻すだけで、簡単に高さ調節がミリ単位で何回でも自分自身に適合するまで高さを選び設定が可能で、簡単、正確、安全に、又安定感のある枕で解決しようとするものである。【解決の手段】  本枕は（１５）ベースプレートと昇降部と（１３）上部フレームとからなる枕であって、昇降部は（４）調節ねじ軸Ａを底辺にて、（１０）リンク２個を二等辺で三角形を成形し、底辺の該調節ネジ軸Ａは端部にそれぞれ右ネジと左ネジを設け、その該調節ネジ軸Ａを廻す事により底辺の距離を変化させ、高さ調節可能であることを特徴とするの枕。【選択図】図３
2010240364.tif 000002
【特許請求の範囲】
【請求項１】
本枕はベースプレートと昇降部と上部フレームとからなる枕であって、昇降部は調節ねじ軸Ａを底辺にて、リンク２個を二等辺で三角形を成形し、底辺の該調節ネジ軸Ａは端部にそれぞれ右ネジと左ネジを設け、その該調節ネジ軸Ａを廻す事により底辺の距離を変化させ、高さ調節可能であることを特徴とするの枕。
【発明の詳細な説明】
【技術分野】
【０００１】  本発明は機構式高さ調節可能な枕に関するものである。
【背景技術】
【０００２】  従来の枕の高さは、ほとんど適度の高さでよかったが、近年はストレスおよび体質等の変化により、睡眠時間が長くても熟睡が出来ない人、又熟睡が出来ても身体の疲れが残る人が増えてきているようですが、その原因は色々な学説もあるようですが、なかなか改善が出来ない場合があります、その中で最近注目されている、背骨に対し頸骨１５度の学説がありますが、その枕の高さ調節が以外と困難な場合があります、そこで枕の高さを簡単、正確、安全に、ミリ単位で高さ調節のできる枕が望まれている。本発明により枕の高さの悩みから解放され、快適な日々を送ることが出来るでしょう。
【発明の開示】
【発明が解決しようとする課題】
【０００３】  従来より高さが自由に調節出来る枕が市販されているようですが、自分自身に適合した枕が見あたらない場合があります。そこで調節ハンドルを廻すだけで、簡単に高さ調節がミリ単位で何回でも自分自身に適合するまで高さを選び設定が可能で、簡単、正確、安全に、又安定感のある枕で解決しようとするものである。
【課題を解決するための手段】
【０００４】  本枕はベースプレートと昇降部と上部フレームとからなる枕であって、昇降部は調節ねじ軸Ａを底辺にて、リンク２個を二等辺で三角形を成形し、底辺の該調節ネジ軸Ａは端部にそれぞれ右ネジと左ネジを設け、その該調節ネジ軸Ａを廻す事により底辺の距離を変化させ、高さ調節可能であることを特徴とするの枕。
【発明の効果】
【０００５】  ハンドルを廻すだけで、簡単に上下の高さ調節がミリ単位で、何日でも何回でも自分自身に適合するまで、高さを選び設定が可能であるので、背骨に対し頸骨１５度学説にる効果も期待出来ると考えられる、枕の高さに興味ある方には非常に役立つ。
【発明を実施するための最良の形態】
【０００６】  従来の枕と同様で違和感のない枕で、機構式の薄型で高ストロークにて、簡単、正確、安全に、高さ調節が可能で一度設定すれば、調節ハンドルを廻さない限り、枕の高さが変化しない枕。
【実施例】
【０００７】  以下、添付図面に従って一実施例を説明する。  図１は本発明に係る枕の平面図で図２は正面図で図３は平面図のＡ−Ａ断面図で図４は側面図である。（１２）頂点軸の両側に（１０）リンクを２個を２等辺で設け、底辺部は（４）調節ねじ軸Ａの端部より（１）右ねじ調節軸と（２）左ねじ調節軸をねじ込み、該リンクの下端部を各々該調節ねじ軸の端部に設け２等辺３角形を成形する。【０００８】  後１組は底辺部に（６）調節ねじ軸Ｂを設けて上記同様に組立て、該調節ねじ軸Ａと該調節ねじ軸Ｂ間に（５）カップリングを設ける、該調節ねじ軸Ｂに（７）カラー、（８）軸受け、（９）ハンドルを設ける。【０００９】  該右ネジ調節軸と該左ネジ調節軸の両端部に（３）ガイドフレームを設け、該軸受けと共に（１５）ベースプレートに装着する。【００１０】  該頂点軸の両側軸端部に（１１）ブラケットを設け、該ブラケット上部に（１３）上部フレームを設け、該上部フレームに（１４）ウレタンスポンジを設ける。尚装置全体に（１６）化粧カバーを装着する。
【図面の簡単な説明】
【００１１】
【図１】  枕全体を示す、平面図である。
【図２】  枕全体を示す、正面図である。
【図３】  平面図のＡ−Ａ断面図である。
【図４】  枕全体を示す、側面図である。
【符号の説明】
【００１２】  １  右ねじ調節軸
２  左ねじ調節軸
３  ガイドフレーム
４  調節ねじ軸Ａ
５  カップリング
６  調節ねじ軸Ｂ
７  カラー
８  軸受け
９  ハンドル
１０  リンク
１１  ブラケット
１２  頂点軸
１３  上部フレーム
１４  ウレタンスポンジ
１５  ベースプレート
１６  化粧カバー
【図１】
2010240364.tif 000003
【図２】
2010240364.tif 000004
【図３】
2010240364.tif 000005
【図４】
2010240364.tif 000006
(57)【要約】【課題】従来のアイマスクでは目だけしか隠す事が出来ず、周囲に人が多い場所などで使用する際は、就寝時に緩んだ口もとなどが人に見られる事があり、女性は目を圧迫する事で化粧が落ちてしまう心配もある。また、長距離移動の新幹線やバスなど不特定多数の人が使用する座席の後頭部には、他者の脂や、髪の毛、化粧の臭いなどがつき不快感を感じるそれらの問題の解消を課題とした。【解決手段】本発明は使用しない時はＡマスクをたたんでコンパクトにする事により、普段の持ち運びをしやすくした。またＡ本体使用時はＤを額と顎に固定し、目や口にふれる事がないため圧迫感をなくし、目や口の化粧落ちがないようにした。後頭部にはＣクッションをおき、Ａ本体から伸びるＢバンドのマジックテープで固定する事により、他者が使用した座席後頭部からうける不快感を解消し、寝心地をよくした。【選択図】図１
2010240366.tif 000002
【特許請求の範囲】
【請求項１】
従来使用されているアイマスクと違い、額と顎で固定させるため目や口などを圧迫せず女性は化粧落ちなどを防ぐ事もでき、また、後頭部にもクッションをあてる事により、不特定多数の人が使用する座席に直接後頭部があたらないため、不快感を感じる事がないフェイスマスク。
【発明の詳細な説明】
【技術分野】
【０００１】本発明は移動中の就寝時に圧迫しない状態で顔全体を隠すための物である。【０００２】また、後頭部に適度な大きさのクッションをつけて、他者が使用した座席などに直接後頭部をふれさせないようにする。
【背景技術】
【０００３】従来移動時などで睡眠をとる際は、目を圧迫して女性は化粧落ちの心配をしなければならないアイマスクが用いられている。
アイマスクは目を隠すだけで、口を隠す事が出来ないため睡眠中の無防備な状態を周囲にさらさなければならない。
【発明の開示】
【発明が解決しよとする課題】
【０００４】長距離移動中の乗り物や周りに人の多い場所などで就寝する際、顔全体を覆う事で無防備な寝顔を周囲にさらさないようにして、アイマスクのように目や顔を圧迫せず、化粧落ちなどの心配をしないで楽に就寝出来るようにする。
【０００５】不特定多数の人が使用する座席に後頭部がよりかかる際、以前に座っていた方の香水や化粧の臭いがついたり、抜け毛、汗や脂などで不快を感じないように後頭部が直接座席にあたらないようにする。
【課題を解決するための手段】
【０００６】本発明は、Ａ本体で眉から口までを覆い、Ｂバンドで額から後頭部にかけて固定させる。
その際、Ｄ伸縮性のあるクッションが額とあごに固定される事により、Ａ本体が顔にかからないようになる。
後頭部にはＣクッションをおき、Ａ本体から繋がるＢバンドをＣクッションで固定する。
【０００７】カバンなどにいれて持ち運びがしやすいようにするために、図４で示す立体的な形をしたＡ本体は、使用しない時はＣクッションと共にコンパクトに畳んでおき、使用時には広げて使えるようにした。
【発明の効果】
【０００８】本発明は従来使用されている安眠マスクのように目に直接あてる事がないため、圧迫感をなくし化粧などが落ちてしまう心配がない。
【０００９】後頭部にはＣクッションがあたる事により、首の負担を減らし寝心地をよくして、他の方が頭をのせた座席に直接頭がふれなくなるため、他の方の化粧の臭いや、汗、脂などが防げるため、衛生的にも心理的にも良いと思われる。
【００１０】移動時や周囲に人が多くいる場所で睡眠をとる時に使用する事を考え、持ち運びしやすいように、普段Ａ本体はコンパクトに畳んでおけるようにして、バックなどにいれやすくした。
【発明を実施するための最良の形態】
【００１１】以下、添付図面に従って実施例を説明する。Ａは目から口元までを隠すための本体である。
Ａ本体から伸びるＢバンドにはマジックテープがついて、ＣクッションにもＢのマジックテープが広範囲にはれるようにしている。
Ａ本体はＤ伸縮性のあるバンドが額と顎で固定させる事により立体的になり、Ａ本体と目や口などの間にスペースを作る事が出来るので、呼吸をする事も問題ない。
【図面の簡単な説明】
【００１２】
【図１】本発明の実施形態を示す側面図
【図２】本発明の上部から示す全体図
【図３】本発明のＡ本体を後ろから示す図
【図４】本発明のＣクッションを後ろから示す図
【図５】本発明の使用しない時にコンパクトにした時の図
【図６】本発明の使用しない時にコンパクトにした時後ろから見た図
【符号の説明】
【００１３】Ａ      マスク本体
Ｂ      Ａ本体と繋がるバンド
Ｃ      後頭部にくるクッション
Ｄ      額と顎で固定する伸縮性と通気性のよいガーゼ
【図１】
2010240366.tif 000003
【図２】
2010240366.tif 000004
【図３】
2010240366.tif 000005
【図４】
2010240366.tif 000006
【図５】
2010240366.tif 000007
【図６】
2010240366.tif 000008
(57)【要約】【課題】階段を一段一段、足を揃いながら登降した形態の原因を究明し、軟骨の減少をスリッパ踵部に低反発柔軟性からなるスポンジを軟骨代替として設けた階段用軽快スリッパを提供する。【解決手段】スリッパ本体の踵部に踵形成の厚さあるスポンジを設け、階段登り降りの膝関節に対する体重圧を軽量化するために、前記スポンジをスリッパ踵部に軟骨代替のクッションにすることを特徴とした階段用軽快スリッパ。【選択図】図１
2010240363.tif 000002
【特許請求の範囲】
【請求項１】
スリッパ本体の踵部に、踵形成の厚みあるスポンジを設け、階段登降の膝関節に対する、体重圧を軽量化するために、前記スポンジをスリッパ踵部に軟骨代替のクッションにしたことを特徴とする階段用軽快スリッパ。
【発明の詳細な説明】
【技術分野】
【０００１】  本発明は、膝関節に影響を及ぼす軟骨の減少代替としてスポンジ部材に関する。
【背景技術】
【０００２】  従来は、年令と共に膝関節を取り巻く軟骨が年々減少し骨の中を通る神経細胞に触れることにより、激痛に悩ませていた、然し手術以外に手の施しようもないのが現状である。
【発明の開示】
【発明が解決しようとする課題】
【０００３】  そのために、次のような問題があった。
（イ）  健康食品も種々発案されているが、中には効果的なものもある。然し、テレビコマーシャルによると効果効能を保障するものではない、あくまで個人の感想に過ぎないと人ごとのように言われている。多少でも軽く階段を登降してみたいと思われるのが念願であり、これらを求め多額の金額を費やしているのである。
（ロ）  また、階段を登るのに体重の３倍と、降りるのに６倍の重圧が軟骨の減少した膝関節に影響を及ぼしているのであるが、これも致し方ないものとして諦めているのが現状であり、高齢化社会におけり重大な問題でもある。
本発明は以上の問題点を解決しようとするものである。
【発明が解決しようとする手段】
【０００４】  スリッパ本体の踵部底に踵形成の厚さ４センチメートルのスポンジを設け、階段登降の膝関節に対する体重圧に、前記のスポンジをスリッパ踵部に形成し、軟骨代替として、クッションにしたことにより現在より軽快に爪先着段の登降ができるようにした。
階段用軽快スリッパである。
【発明の効果】
【０００５】  本発明は、階段を登降する場合一段一段両足を揃いながら登る体勢が、スリッパ本体を履くと同時に、健康体足に戻り、両足全体が軽快になったのは、軟骨が減少した膝関節に対する外部からの補助的スポンジの低反発性クッションによる効果を発揮するものである。
【発明が実施するための最良の形態】
【０００６】  以下、本、発明の実施の形態を説明する。
（イ）  スリッパ偏平足形底部（１）に、カバー（２）を縫い合わせ設ける。
（ロ）  厚形スポンジ（３）の両側面に、加工板（６）を接着可能にするために密着、準備されている。
（ハ）  偏平足形底部（１）と踵部（４）との開口部（５）の中に厚形スポンジ（３）を設ける。
本発明は、以上の構成になっている。
本発明を使用するときは、上記の偏平足形底部を側面から見て土踏まず成形となし、階段登降には、クッションの役目を果たしている。スリッパ底部（１）に、カバー（２）を縫い合わせ従来通りとし、踵部は、スリッパ底部（１）と踵部（４）とを開口部（５）に分離し、その中に加工板共に厚さ４センチメートル寸法による低反発柔軟性スポンジ（３）を開口部（５）より透間に拘わらず自在に接触する踵部（４）に設けたことにより、足が軽く階段の登り降りに苦痛を感じることなく過ごすことができるのである。
【図面の簡単な説明】
【０００７】
【図１】本発明の斜視図
【図２】本発明の各部の分離斜視図である。
【符号の説明】
【０００８】  １  スリッパ本体
２  カバー
３  厚形スポンジ
４  踵部
５  開口部
６  加工板
【図１】
2010240363.tif 000003
【図２】
2010240363.tif 000004